(57)【要約】【課題】家庭用トイレ又は不特定多数が利用するトイレを清潔に保つとともに、これらの全てのトイレ内の清掃作業の労を軽減し、更には抗菌又は消臭機能並びに宣伝広告機能を付加することにより商品価値を高めた尿吸収シートを備えたトイレ用マットを安価に提供する。【解決手段】便器の足もとに設置する防水性床マット１１と尿吸収シート１２とから構成され、防水性床マット１１の上面に尿吸収シート１２を載置せしめる収納部を形成し、尿吸収シート１２は、吸収材を適量挿入した不織布からなり、尿のしずくや飛散を吸収又は保水した際、尿吸収シート１２のみを適宜取り替えられるようにした。【選択図】  図１
2005013530.tif 000002
【特許請求の範囲】
【請求項１】
便器の足もとに設置する防水性床マットと尿吸収シートとから構成され、前記防水性床マットの上面に前記尿吸収シートを載置せしめる収納部を形成し、前記尿吸収シートは、吸収材を適量挿入した不織布からなり、尿のしずくや飛散を吸収又は保水した際、前記尿吸収シートのみを適宜取り替えられるようにした尿吸収シートを備えたトイレ用マット。
【請求項２】
便器の足もとに設置する尿吸収シートの裏面に防水性を有する層を該尿吸収シートと一体に形成し、前記尿吸収シートは、吸収材を適量挿入した不織布からなる尿吸収シートを備えたトイレ用マット。
【請求項３】
請求項１又は請求項２に記載の尿吸収シートを備えたトイレ用マットにおいて、前記尿吸収シートに抗菌加工又は消臭加工を施したことを特徴とする尿吸収シートを備えたトイレ用マット。
【請求項４】
請求項１乃至請求項３に記載の尿吸収シートを備えたトイレ用マットにおいて、前記尿吸収シートの表面の所定部分に広告を印刷することを特徴とする尿吸収シートを備えたトイレ用マット。
【請求項５】
請求項４に記載の尿吸収シートを備えたトイレ用マットにおいて、前記広告に合わせて前記尿吸収シートの表面の所定部分にクーポンを印刷し、前記クーポン部分のみを切り取り可能にしたことを特徴とする尿吸収シートを備えたトイレ用マット。
【発明の詳細な説明】
【０００１】
【発明の属する技術分野】
本発明は、トイレ内を清潔に保つための清掃作業の労を軽減するとともに、抗菌又は消臭機能並びに宣伝広告機能を付加することにより商品価値を高めたことを特徴とする尿吸収シートを備えたトイレ用マットに関する。
【０００２】
【従来の技術】
従来から使用されているトイレ用マットは、布製、ビニール製の材質のものが多く、尿のしずくや飛散によりマットが汚れた場合にそのまま放置しておくと悪臭を発生しトイレ内が不衛生になるため、これらのトイレ用マットを頻繁に洗濯又は水洗いする必要があった。
【０００３】
また、トイレ用マットを紙製の材質にした場合、使い捨てができるので清掃作業の労を軽減することが可能になるが、尿のしずくや飛散の量が多い場合には尿を吸収しきれずにトイレ床を汚すことになり、またトイレ床が濡れているような状態では使用できないという問題があった。
【０００４】
さらに、不特定多数が利用するトイレ、例えば、駅構内・車両内・飲食店内などのトイレ、その他公共施設に設置されている公衆トイレでは、上述したようなトイレ用マットを使用しているケースは少ないので、トイレ内を清潔に保つための清掃作業に相当の労力が必要となっているのが現状である。
【０００５】
【発明が解決しようとする課題】
そこで、本発明は、このような問題を解決するためになされたものであり、家庭用トイレ又は不特定多数が利用するトイレを清潔に保つとともに、これらの全てのトイレ内の清掃作業の労を軽減し、更には抗菌又は消臭機能並びに宣伝広告機能を付加することにより商品価値を高めた尿吸収シートを備えたトイレ用マットを安価に提供することを目的とする。
【０００６】
【課題を解決するための手段】
上記課題を解決するために、請求項１に記載の発明は、便器の足もとに設置する防水性床マットと尿吸収シートとから構成され、前記防水性床マットの上面に尿吸収シートを載置せしめる収納部を形成し、前記尿吸収シートは、吸収材を適量挿入した不織布からなり、尿のしずくや飛散を吸収又は保水した際、前記尿吸収シートのみを適宜取り替えられるようにした構成を採用したのである。
【０００７】
これにより、尿吸収シートのみを適宜取り替えられるようにしたので、家庭用トイレ又は不特定多数が利用するトイレを常に清潔に保つとともに、これらの全てのトイレ内の清掃作業の労を軽減することができる。また、防水性床マットは、水洗いして再度使用することができるので、コスト低減を図ることができる。
【０００８】
また、請求項２に記載の発明は、便器の足もとに設置する尿吸収シートの裏面に防水性を有する層を該尿吸収シートと一体に形成し、前記尿吸収シートは、吸収材を適量挿入した不織布からなる構成を採用したのである。
【０００９】
これにより、請求項１に記載の発明と同様に全てのトイレ内の清掃作業の労を軽減することができる。
【００１０】
また、請求項３に記載の発明は、請求項１又は請求項２に記載の尿吸収シートを備えたトイレ用マットにおいて、前記尿吸収シートに抗菌加工又は消臭加工を施したことを特徴とする。
【００１１】
これにより、尿吸収シートに抗菌又は消臭機能が付加されるので、トイレ内の衛生状態を向上させることができる。
【００１２】
また、請求項４に記載の発明は、請求項１乃至請求項３に記載の尿吸収シートを備えたトイレ用マットにおいて、前記尿吸収シートの表面の所定部分に広告を印刷することを特徴とする。
【００１３】
これにより、尿吸収シートに宣伝広告機能が付加されるので、トイレの使用者の目に確実に触れ宣伝効果が高まるばかりでなく、効果的な宣伝広告を安価なコストで実現可能となる。
【００１４】
さらに、請求項５に記載の発明は、請求項４に記載の尿吸収シートを備えたトイレ用マットにおいて、前記広告に合わせて前記尿吸収シートの表面の所定部分にクーポンを印刷し、前記クーポン部分のみを切り取り可能にしたことを特徴とする。
【００１５】
これにより、新しい尿吸収シートを取り付ける前にクーポン部分のみを切り取り適宜使用することができるので、いわゆるクーポン広告としての効果を発揮する。
【００１６】
【発明の実施の形態】
以下、本発明の実施の一形態について、図面を参酌しながら説明する。
【００１７】
図１は、本発明にかかる尿吸収シートを備えたトイレ用マットの一例を示す正面図である。図２は、図１に示す尿吸収シートを備えたトイレ用マットの断面図である。
【００１８】
図１及び図２に示すように、１０は尿吸収シートを備えたトイレ用マット、１１は防水性床マット、１２は尿吸収シートである。本実施例において、防水性床マット１１の上面に尿吸収シート１２を載置して使用する尿吸収シートを備えたトイレ用マット１０について詳しく説明するが、これと同様の機能を発揮する別の構成としては、例えば、尿吸収シートの裏面に防水性を有する層（樹脂製フイルムなど）を尿吸収シートと一体に形成した構成を採用することができる。この場合、トイレ床面と接する防水性を有する層の表面の所定箇所に滑り止め用の接着材を適宜設けておくことにより、便器の足もとに設置した状態を確実に維持することができる。
【００１９】
防水性床マット１１は、ゴム製、樹脂製又は金属製などの薄板状体からなり、その上面に尿吸収シート１２を載置せしめる収納部が形成されている。これにより、尿吸収シート１２が尿のしずくや飛散を吸収又は保水した際、尿吸収シート１２のみを適宜取り替えられるように、防水性床マット１２の収納部に尿吸収シート１２が取り替え自在に載置できる（図２参照）。なお、防水性床マット１１の上面収納部の構造は、本実施例に限定されるものではなく、尿吸収シート１２を載置した際に、尿吸収シート１２が防水性床マット１１から容易に離脱しないような構造を適宜採用することができる。
【００２０】
また、防水性床マット１１の形状は、図５に示すように、トイレの便器Ａの前面下部の形状に対応するように、四角形状の長辺中央部を円弧状に切り込んで形成されている。なお、防水性床マット１１の形状及び大きさは、トイレの便器の種類や形状及び大きさに対応させて任意のものを採用することができる。すなわち、防水性床マット１１の形状及び大きさは、本実施例に示す四角形状に限定されるものではなく、また円弧状の切り込みについても適宜変更又は省略することができる。
【００２１】
尿吸収シート１２は、防水性床マット１１の上面収納部の形状に相応する形状に形成された不織布からなり、その不織布に高分子吸収材を適量挿入することにより、尿のしずくや飛散を素早く吸収又は保水することができる。
【００２２】
また、尿吸収シート１２に抗菌加工又は消臭加工を施すことにより、尿吸収シート１２に抗菌又は消臭機能が付加されるので、トイレ内の衛生状態を向上させることができる。
【００２３】
ここで、尿吸収シート１２に抗菌加工を施すために使用する抗菌液について説明する。本発明において使用する抗菌液は、主として各植物の持つ成分を抽出して精製されたもの（以下、「ＫＳＯ−２００１」という）が適しており、例えば、黒松の葉、赤松の葉、蝦夷松の葉、柿の葉・果実、お茶の葉、熊笹の葉茎、レモンの果実、白樺の樹皮、ブドウ果実、シソ葉茎、アロエ、アマチャズル葉茎、サンショウ葉茎等々の植物から抽出された成分により構成されている。なお、「ＫＳＯ−２００１」の安全性及び抗菌効果ついては、、大阪市立工業研究所などの各試験機関において種々の試験が行われ既に実証されている。
【００２４】
図３は、尿吸収シートの表面に広告を印刷する部分を示す正面図である。図３に示すように、尿吸収シート１２の表面に広告を印刷する部分１３を設けることができる。
【００２５】
これにより、トイレの使用者に対して注意喚起を行うことができるばかるでなく、尿吸収シートに宣伝広告機能が付加されるので、トイレの使用者の目に確実に触れ広告が記憶に残るようになり、トイレの使用者に対する宣伝効果が確実に高まる（図５参照）。
【００２６】
また、図４は、尿吸収シートの表面に広告及びクーポンを印刷する部分を示す正面図である。図４に示すように、尿吸収シート１２の表面に広告を印刷する部分１４と、その広告に付随するサービス内容を記載したクーポンを印刷する部分１５（切り取り線１６に沿って切り取り可能）を設けることができる。このように、尿吸収シート１２の隅部分に広告に合わせてクーポンを印刷し、該クーポン部分のみを切り取り可能にしたことにより、主として家庭用トイレの使用者に対しては、いわゆるクーポン広告としての効果を十分に発揮する。なお、クーポンを印刷する部分１５は、広告主の依頼や広告内容等に応じて任意の箇所に設けることができる。
【００２７】
【発明の効果】
以上のように、請求項１にかかる発明によれば、防水性床マットの上面収納部に吸収材を適量挿入した不織布からなる尿吸収シートを載置せしめ、尿のしずくや飛散を吸収又は保水した際、尿吸収シートのみを適宜取り替えられるようにしたので、家庭用トイレ又は不特定多数が利用するトイレを常に清潔に保つとともに、これらの全てのトイレ内の清掃作業の労を軽減することができる。また、防水性床マットは、水洗いして再度使用することができるので、コスト低減を図ることができる。
【００２８】
また、請求項２にかかる発明によれば、吸収材を適量挿入した不織布からなる尿吸収シートの裏面に防水性を有する層を一体に形成したので、全てのトイレ内の清掃作業の労を軽減することができる。
【００２９】
また、請求項３にかかる発明によれば、尿吸収シートに抗菌又は消臭機能が付加されるので、トイレ内の衛生状態を向上させることができる。
【００３０】
また、請求項４にかかる発明によれば、尿吸収シートに宣伝広告機能が付加されるので、トイレの使用者に対する宣伝効果が確実に高まる。また、このような効果的な宣伝広告を安価なコストで実現可能となる。
【００３１】
さらに、請求項５にかかる発明によれば、広告に合わせて尿吸収シートにクーポンを印刷し、クーポン部分のみを切り取り可能にしたので、新しい尿吸収シートを取り付ける前にクーポン部分のみを適宜切り取り使用することができる。
【図面の簡単な説明】
【図１】本発明にかかる尿吸収シートを備えたトイレ用マットの一例を示す正面図である。
【図２】図１に示す尿吸収シートを備えたトイレ用マットの断面図である。
【図３】尿吸収シートの表面に広告を印刷する部分を示す正面図である。
【図４】尿吸収シートの表面に広告及びクーポンを印刷する部分を示す正面図である。
【図５】本発明にかかる尿吸収シートを備えたトイレ用マットの使用状態を示す説明図である。
【符号の説明】
１０  尿吸収シートを備えたトイレ用マット
１１  防水性床マット
１２  尿吸収シート
１３  広告を印刷する部分
１４  広告を印刷する部分
１５  クーポンを印刷する部分
１６  切り取り線
Ａ  便器
【図１】
2005013530.tif 000003
【図２】
2005013530.tif 000004
【図３】
2005013530.tif 000005
【図４】
2005013530.tif 000006
【図５】
2005013530.tif 000007